(57)【要約】【課題】医療現場において目的の医療情報を作業効率良く取得し、業務状況を、業務、操作、ユーザ、患者等の単位で判り易く表示させることのできる医療業務支援システムを提供する。【解決手段】ユーザは医療業務端末装置５から、目的の医療に関する業務情報を参照する要求を医療業務サーバ７に送る。医療業務支援サーバ７は、ユーザからの参照要求を履歴情報に登録し、要求された業務情報をユーザに提供する。ユーザの医療情報支援端末５の表示部１１には、目的の業務情報が表題として時系列で表示され、ユーザは業務情報を視覚的に容易に把握することができる。また、医療業務支援サーバ７は、業務情報に含まれる語句中から、重要語句を抽出して表題にするようにしても良い。また、医療業務支援サーバ７は、業務情報に含まれる語句中から、重要語句を抽出し、当該語句を強調表示させてユーザが容易に認識できるようにしても良い。【選択図】図１
2007058715.tif 000002
【特許請求の範囲】
【請求項１】
医療情報と関連付けられ医療業務に関する業務情報を管理するサーバと、前記業務情報を入力あるいは取得する少なくとも１つの端末装置と、がネットワークを介して互いに前記業務情報を送受可能に接続される医療業務支援システムであって、
前記サーバは、
前記業務情報を表題情報と対応付けて保持する保持手段と、
前記端末装置から送信された検索条件に該当する前記業務情報を前記保持手段から抽出する業務情報抽出手段と、
前記業務情報抽出手段により抽出した業務情報に対応する表題情報の一覧を前記端末装置に表示させる表題情報表示手段と、
前記表題情報表示手段が表示させた表題情報の中から、前記端末装置が選択して送信した表題情報に対応する業務情報を前記端末装置に表示させる業務情報表示手段と、
前記端末装置から送信される入力情報に基づいて前記業務情報の作成あるいは更新を行い前記保持手段に保持させる業務情報作成更新手段と、
を具備することを特徴とする医療業務支援システム。
【請求項２】
前記保持手段は、さらに、前記業務情報を日時情報と対応付けて保持し、
前記表題情報表示手段は、前記日時情報に基づいて時系列で前記表題情報の一覧を表示させることを特徴とする請求項１に記載の医療業務支援システム。
【請求項３】
前記保持手段は、さらに、キーワード情報を保持し、
前記業務情報表示手段は、前記業務情報に前記キーワード情報が含まれる場合、当該キーワード情報の部分を強調表示させ、あるいは、
前記業務情報作成更新手段は、前記端末装置から送信される入力情報に前記キーワード情報が含まれる場合、当該キーワード情報を前記業務情報に対応する表題情報として前記保持手段に保持することを特徴とする請求項１または請求項２に記載の医療業務支援システム。
【発明の詳細な説明】
【技術分野】
【０００１】
本発明は、医療施設のネットワークに接続する電子カルテシステム、看護支援システム、ＨＩＳ（Hospital  Information  System）等に関する情報を取り扱う医療業務支援システムに関する。詳細には、診療録、看護記録、温度板、オーダ等の医療情報を業務情報と関連付けてデータベースに保持し、医療従事者等からの要求に応じてその内容を追加、修正、或いは検索提示する医療業務支援システムに関する。
【背景技術】
【０００２】
従来、医療情報やその医療情報に関する業務情報を電子カルテとしてデータベースに登録するシステムがある。この場合、電子カルテには医療情報が登録されるものの、登録者や登録日時、或いは電子カルテの内容を追加、修正、或いは参照した履歴に関する情報は含まれていなかった。
【０００３】
また、診療情報データベースに連携された操作記録テーブルと、操作入力に応じて実行した操作内容と操作時刻とを当該操作の対象画面又は実行画面に対応付けて操作記録テーブルに記録する履歴記録手段と、操作入力の履歴を表示させる履歴再生手段とを有する診療支援装置が提案されている（例えば、［特許文献１］参照。）。この診療支援装置では、ユーザは、診療情報を入力した順序や診療情報を参照した順序を時系列に表示して視覚的に辿ることが可能である。
【０００４】
【特許文献１】特開２００５−０２５３６１号公報
【発明の開示】
【発明が解決しようとする課題】
【０００５】
しかしながら、［特許文献１］に示す診療支援装置は、診療情報データベースから、医師、看護師等の医療スタッフが所望する目的の医療情報を取得するには、操作履歴を再生させながら、カレンダーをめくる様に１つずつ全ての内容を確認する必要があり、作業効率が悪いという問題点がある。
【０００６】
また、従来のシステムは、診療情報の内容を効率よく分類し管理するものではないので、必要な医療情報を迅速に検索することは困難であった。
【０００７】
本発明は、このような問題を鑑みてなされたもので、その目的とするところは、医療現場において目的の医療情報を作業効率良く取得し、業務状況を、業務、操作、ユーザ、患者等の単位で判り易く表示させることのできる医療業務支援システムを提供することである。
【課題を解決するための手段】
【０００８】
前述した目的を達成するための本発明は、医療情報と関連付けられ医療業務に関する業務情報を管理するサーバと、前記業務情報を入力あるいは取得する少なくとも１つの端末装置と、がネットワークを介して互いに前記業務情報を送受可能に接続される医療業務支援システムであって、前記サーバは、前記業務情報を表題情報と対応付けて保持する保持手段と、前記端末装置から送信された検索条件に該当する前記業務情報を前記保持手段から抽出する業務情報抽出手段と、前記業務情報抽出手段により抽出した業務情報に対応する表題情報の一覧を前記端末装置に表示させる表題情報表示手段と、前記表題情報表示手段が表示させた表題情報の中から、前記端末装置が選択して送信した表題情報に対応する業務情報を前記端末装置に表示させる業務情報表示手段と、前記端末装置から送信される入力情報に基づいて前記業務情報の作成あるいは更新を行い前記保持手段に保持させる業務情報作成更新手段と、を具備することを特徴とする医療業務支援システムである。
【０００９】
医療情報とは、医療現場において文字データ、画像データ、音声データ等で構成された診療録、看護記録、温度板、オーダ等である。尚、温度板とは患者の呼吸数、脈拍数、体温、血圧等の経過を示すグラフである。
業務情報とは、医療業務に関する情報であり、表題（表題情報で説明する。）、重要度、ユーザＩＤ、患者ＩＤ、データ種別、日付、場所等に関する情報、及び患者に関する情報等を含む。業務情報は、上記医療情報に関連付けられる。重要度とは、当該業務情報に付与するランク付け（例えば重要度の高い順にＡ、Ｂ、Ｃ等を付与する）である。データ種別とは、当該業務情報（即ち医療情報）の種別であり、例えば診療録、看護記録、温度板、オーダ等である。
【００１０】
検索条件とは、例えば業務種別（診療録、看護記録、温度板、オーダ等）、患者名、病棟、履歴（参照、訂正、追加等）等であり、本システムではユーザが指定した検索条件で業務情報を検索して表示させる。
表題情報とは、業務情報の内容を検索するためのインデックス的な役割を有する。即ち、ユーザが業務内容登録時に、当該業務内容に関わるキーワードを表題情報として入力しても良いし、既に業務情報として登録された文字列等からキーワードとなる文字列を本システムが自動的に抽出して表題情報を作成するようにしても良い。
入力情報とは、端末装置から入力される内容である。例えば、業務情報の新規作成、参照、訂正、削除等に関する入力である。
【００１１】
サーバはコンピュータ等の情報処理装置であり、データベースに医療情報や業務情報等を保持する。サーバは端末装置からの要求に従い、当該業務情報を抽出して提供する。
【００１２】
端末装置は、パーソナルコンピュータやワークステーション等であり、端末装置を操作するユーザが指定した検索条件で、サーバに対して必要な情報の抽出要求を行う。また端末装置は、抽出した業務情報等をユーザに提示する。尚、端末装置は、表示機能を有する携帯電話、ＰＨＳ（Personal  Handyphone  System）、ＰＤＡ（Personal  Digital  Assistance：携帯情報端末）等の情報通信機器であっても良い。
【００１３】
本発明による医療業務支援システムでは、サーバは、業務情報を表題情報と対応付けて保持する。端末装置は、サーバに対して業務情報の検索条件を送信する。サーバは、端末装置から送信された検索条件に該当する業務情報を抽出し、抽出した業務情報に対応する表題情報の一覧を端末装置に送信する。端末装置は、サーバから送信された表題情報の一覧を表示し、当該表題情報の中から選択された表題情報をサーバに送信する。サーバは、端末装置側が選択した表題情報に対応する業務情報を端末装置に送信する。端末装置は、サーバから送信された業務情報を表示する。また、サーバは、端末装置から送信される入力情報に基づいて業務情報の作成あるいは更新を行い保持手段に保持する。
【００１４】
望ましくは、前記保持手段は、さらに、前記業務情報を日時情報と対応付けて保持し、前記表題情報表示手段は、前記日時情報に基づいて時系列で前記表題情報の一覧を表示させる。
日時情報とは、医療行為の処置日時や、業務情報の記録日時である。日時情報に基づいて表題情報の一覧を時系列で表示させることで、ユーザは表題情報を時系列で視覚的に把握することが可能になる。
【００１５】
望ましくは、前記保持手段は、さらに、キーワード情報を保持し、前記業務情報表示手段は、前記業務情報に前記キーワード情報が含まれる場合、当該キーワード情報の部分を強調表示させ、あるいは、前記業務情報作成更新手段は、前記端末装置から送信される入力情報に前記キーワード情報が含まれる場合、当該キーワード情報を前記業務情報に対応する表題情報として前記保持手段に保持する。
【００１６】
キーワード情報とは、強調語句や表題語句として予め登録されるキーワード（例えば病名、検査名、計測値、薬品名等）である。
業務情報の内容に強調語句が含まれていると、業務情報表示手段は、強調語句の部分を強調表示させる。強調表示とは、例えば該当する語句にハイライト表示、下線付加、着色表示、点滅表示、太字表示等の処理を行うことである。
端末装置から送信される入力情報に表題語句が含まれる場合、業務情報作成更新手段は、該当する表題語句を業務情報に対応する表題情報として採用する。
【００１７】
本発明の医療業務支援システムによれば、業務情報を表題情報で管理するため、ユーザは目的の医療情報を容易に効率良く取得することが可能である。また、業務情報を日時情報と対応付けて時系列で端末装置に表示させるので、ユーザは業務情報を視覚的に容易に把握することができる。また、キーワード情報（強調語句）に合致する業務内容を強調表示させることで、ユーザへの注意を促すことができる。また、キーワード情報（表題語句）に合致する業務内容を自動的に表題として抽出するので、ユーザの作業負荷を軽減する効果がある。
【発明の効果】
【００１８】
本発明によれば、医療現場において目的の医療情報を作業効率良く取得し、業務状況を、業務、操作、ユーザ、患者等の単位で判り易く表示させることのできる医療業務支援システムを提供することができる。
【発明を実施するための最良の形態】
【００１９】
以下に、図面に基づいて本発明の実施の形態を詳細に説明する。図１は、本実施の形態に係る医療業務支援システム１の構成を示す図である。図１は、医療業務支援システム１をサーバとクライアントとで構成する場合を示す。尚、医療業務支援システム１は、サーバとクライアントに分離せず単一のコンピュータ等で構成することもできる。
【００２０】
（１．構成）
（１−１．医療業務支援システム１の構成）
医療業務支援システム１は、医療情報や業務情報を管理する医療業務支援サーバ７と、ユーザ（医療従事者等）が利用する医療業務支援端末５とが、ネットワーク３等を介して接続される。尚、本実施の形態では本システムの医療業務支援端末５を操作する医療従事者（医師、看護師、薬剤師等）を「ユーザ」して説明する。
【００２１】
医療業務支援サーバ７および医療業務支援端末５は、医療施設に設置されるコンピュータやワークステーション等である。医療業務支援端末５は、医療施設内に複数台を用意し、ネットワーク３を介して医療業務支援サーバ７に接続しても良い。尚、医療業務支援端末５は、表示機能を有する携帯電話、ＰＨＳ、ＰＤＡ等の医療従事者が携帯して使用することのできる情報通信機器等であっても良い。また。医療業務支援端末５は、病院案内板や、待ち合い表示板、病棟及び病室内のベッドサイドの端末、ナースステーション、診察室内の電子カルテ端末、病院受付窓口の受付端末、会計処理端末等、病院内のあらゆる場所に設置されたコンピュータにソフトウェアをインストールすることで医療業務支援端末５として使用することができる。
【００２２】
図２は、コンピュータ２９の構成を示す図である。
医療業務支援サーバ７および医療業務支援端末５は、一般的に図２に示すコンピュータ２９の構成を有する。コンピュータ２９は、ＣＰＵ（Central  Processing  Unit：中央処理装置）等の制御部３１と、フレキシブルディスクやＣＤ−ＲＯＭ等のメディアの読み込み書き込みを行うメディア入出力部３３と、ネットワークに接続するモデムやＬＡＮボード等の通信部３５と、キーボード、マウス又はマイク等の入力部３７と、プリンタ等の印刷部３９と、ＣＲＴや液晶表示装置等の表示部４１と、ＲＯＭ（Read  Only  Memory）４５、ＲＡＭ（Random  Access  Memory）４７、ＨＤＤ（Hard  Disc  Drive）４９等からなる記憶部４３とから構成され、それぞれがシステムバス５１で接続されている。
【００２３】
図１に示す医療業務支援サーバ７および医療業務支援端末５の構成は、上記図２に示すコンピュータ２９の構成とほぼ対応するが、図１では本システムの説明に使用しない構成に関しては表示しない。
【００２４】
医療業務支援端末５（図１参照）は、ユーザ操作を受け付ける入力部９、ディスプレイ等の表示部１１、ユーザに情報取得を提示する通知部１３、プログラムやデータ等を保持するデータ格納部１５、ＣＰＵ等の制御部１７、ネットワーク３に接続する通信部１９等から構成される。
【００２５】
入力部９は、キーボード、マウス、ボタン、スイッチ、タッチパネル、マイク等でありユーザ操作を受け付ける。尚、入力部９は、音声入力と音声認識技術を利用し、ユーザの発声を入力するようにしても良い。
【００２６】
表示部１１は、医療情報、業務情報、履歴情報等やユーザに操作を促すためのメニューやガイダンス等の操作情報を表示する液晶表示装置等である。表示部１１は、待ち合い表示板や、患者へのインフォームドコンセント用の説明画面、医師及び看護師等の医療スタッフカンファレンス用の説明及び連絡画面を、医療情報、業務情報、履歴情報、メニューやガイダンス等の情報とともに表示する機能を有する。
【００２７】
通知部１３は、医療業務支援サーバ７から情報を取得した旨をユーザに通知するための機能として、ＬＥＤ（Light  Emitting  Diode）、ＬＥＤが発光する光を点滅させる光点滅部、医療業務支援端末５を振動させるバイブレーション機能、アラーム音や合成音声を出力するスピーカ及び音声出力部のうちの少なくとも１つを備える。
【００２８】
データ格納部１５は、データ記憶用のメモリや外部記憶装置から構成される。データ格納部１５は、通信部１９が受信した情報を格納するとともに、制御部１７からの要求に基づき、格納している情報を制御部１７へと渡す機能を有する。
【００２９】
制御部１７は、ＣＰＵやＤＳＰ（Digital  Signal  Processor）等の一般的なコンピュータの演算装置から構成される。制御部１７は、ユーザが入力部９から入力する情報を通信部１９を介して医療業務支援サーバ７に送信し、医療業務支援サーバ７から送られる情報をデータ格納部１５に格納して、データ格納部１５から読み出した情報を表示部１１に表示させる。
【００３０】
通信部１９は、無線によりネットワーク３に接続されている場合、アンテナ、送受信信号の変復調装置、通信インターフェースなどから構成される。通信部１９が、有線によりネットワーク３に接続されている場合、送受信信号の変復調装置、通信インターフェース等から構成される。
【００３１】
医療業務サーバ７（図１参照）は、ネットワーク３に接続する通信部２１、医療情報や業務情報等を保持するデータベース２３、ＣＰＵ等の制御部２５等から構成される。
【００３２】
図１では、医療情報や業務情報等を保持するデータベース２３が医療業務支援サーバ７に属する構成を示しているが、医療業務支援サーバ７がデータベース２３の保持するデータにアクセスすることが可能であればデータベース２３は医療業務支援サーバ７と独立して配置しても良い。
【００３３】
また図１には、制御部２５のソフトウェア的な機能として、業務情報生成手段２７−１、業務情報取得手段２７−２、履歴情報生成手段２７−３、履歴情報取得手段２７−４、スケール生成手段２７−５、ユーザ認証手段２７−６、医療情報取得手段２７−７、および時間取得手段２７−８を示す。
【００３４】
業務情報生成手段２７−１は、診療録、看護記録、温度板、オーダ等の医療情報から自動的に重要な医療情報を抽出して強調タグを付与し、更に表題、重要度、ユーザＩＤ、スタッフ種別、患者ＩＤ、データ種別、日付、日時等の業務情報を生成する手段である。
業務情報取得手段２７−２は、データベース２３に登録されている業務情報を取得する手段である。
履歴情報生成手段２７−３は、ログイン、ログアウト、参照、新規入力、修正、追加、表示画面、画面遷移等の操作履歴や表示履歴を生成する手段である。
履歴情報取得手段２７−４は、データベース２３に登録されている履歴情報を取得する手段である。
スケール生成手段２７−５は、データベース２３に登録されている業務情報と履歴情報および時間情報とから時系列なスケールを生成する手段である。具体的には、一覧表示するそれぞれの業務情報を表題に代表させ、スケール（時間軸）の対応する位置に表題を配置する。
ユーザ認証手段２７−６は、医療業務支援端末装置５の入力部９から入力され、ネットワーク３を介して受信したユーザＩＤとパスワード等で本システムのユーザを特定してユーザの認証を行う。
医療情報取得手段２７−７は、データベース２３に登録されている医療情報を取得する手段である。医療情報とは、文字データ、画像データ、音声データ等によって構成される診療録、看護記録、温度板、オーダ等の医療現場で発生する情報である。
時間取得手段２７−８は、正確な時刻を業務情報や履歴情報に付加する手段である。
【００３５】
ネットワーク３は、病院内の院内ＬＡＮネットワークを想定しているが、院内ネットワークのほか、セキュリティの確立されたインターネット等であっても良い。また、携帯電話システム等の公衆通信網や、無線ＬＡＮシステム等の無線通信網、専用回線等の有線による通信網を組み合わせたものであっても良い。
【００３６】
（１−２．データベース２３の構成）
次に医療業務サーバ７のデータベース２３の構成について、図３を用いて説明する。図３はデータベース２３の構成を示す図である。また、図４乃至図９は、データベース２３に登録される情報やテーブルの内容を示す図である。
【００３７】
データベース２３（図３参照）は、患者情報１００（図４参照）、業務情報２００（図５参照）、医療情報３００（図５参照）、履歴情報４００（図６参照）、対応情報５００（図７参照）、強調語句テーブル６００（図８参照）、表題語句テーブル７００（図９参照）等を有する。
【００３８】
患者情報１００は患者に関する情報が登録される。図４に示すように例えば、患者情報１００には患者情報レコード番号１０１、患者ＩＤ１０３、患者の病棟や階等の場所１０５、担当ＩＤ１０７（担当の医師や看護師のＩＤ）、担当の医療従事者の勤務所属の場所１０９、その他、患者の氏名、性別、住所、メールアドレス、年齢、血液型等が登録される。即ち患者情報１００では、患者ごとに１つのレコードを有する。
【００３９】
業務情報２００は、医療現場で発生する医療業務ごとに関連付けられた内容が格納される情報である。図５に業務情報２００の内容の一例を示す。業務情報２００は、医療業務ごとに１つの業務情報レコード番号２０１が付与される。それぞれの業務情報レコード番号２０１に対して業務種別２０３、実施日時２０５、重要度２０７、表題２０９、医療情報３００等が格納される。
【００４０】
業務種別２０３とは、医療業務の内容を業務のカテゴリで分類（例えば、オーダ、診療録、温度板等）し、業務種別２０３での検索条件が指定された場合に利用する項目である。実施日時２０５は、当該医療業務が実際に実施された日時に関する情報である。重要度２０７は、例えばユーザ（医療従事者）が、医療業務を記録する際にその医療行為の重要度を判断して（例えば重要度が高い順にＡ、Ｂ、Ｃ・・と指定する。）登録した情報であり、後に業務情報２００の重要度２０７で検索条件が指定された場合に利用する項目である。重要度２０７は、医療業務支援サーバ７が医療情報３００の内容から自動的に指定するようにしても良い。
【００４１】
尚、図５に示す医療情報３００の項目には、医療情報３００である本文やデータを直接登録しても良いし、図３に示すようにデータベース２３の他の領域に登録されている医療情報３００にリンクするアドレス等の参照先を登録しても良い。即ち図３に示すように医療情報３００は業務情報２００とは独立してデータベース２３内に登録しても良い。
【００４２】
尚、医療情報３００は、医療現場において文字データ、画像データ、音声データ等で構成された診療録情報、看護記録情報、温度板データ、オーダ情報等である。従って医療情報３００はその業務種別２０３によってデータの形態（例えば文字データ、グラフ、画像等）が異なる。
【００４３】
履歴情報４００には、医療従事者等であるユーザが業務情報２００に対して操作を行った履歴が登録される。図６に示すように例えば、履歴情報４００には履歴情報レコード番号４０１、業務情報２００に対して操作を行ったユーザを識別する操作者（記録者）４０３（氏名或いはＩＤ等）、業務情報２００に対して行った操作の操作種別４０５、操作日時４０７（記録日時）、操作内容４０９等の項目が登録される。操作種別４０５とは、業務情報２００に対して行う操作の種類であり、例えば「新規入力」、「変更」、「参照」等の種別がある。尚、履歴情報４００として表示画面履歴を併せて登録するようにしてもよい。
【００４４】
履歴情報４００を登録しておくことで、ユーザが例えば期間を指定（操作日時４０７の範囲を指定）して新規入力された業務情報２００を検索して一覧表示することや、特定の操作者４０３による業務情報２００への操作履歴を検索すること等が可能になる。
【００４５】
対応情報５００は、患者情報１００（図４参照）と業務情報２００（図５参照）と履歴情報４００（図６参照）とを対応付ける情報である。
【００４６】
図７に示す対応情報５００−１は、患者情報レコード番号１０１と業務情報レコード番号２０１とを対応付ける。例えば、患者情報レコード番号１０１「Ｍ０１」には、異なる業務情報レコード番号２０１「Ｇ０１」及び「Ｇ０２」が対応付けられている。これは同一の患者に対して複数の業務情報２００が対応づけられることを示す。
【００４７】
また、図７に示す対応情報５００−２は、業務情報レコード番号２０１と履歴情報レコード番号４０１とを対応付ける。例えば、業務情報レコード番号２０１「Ｇ０１」には、異なる履歴情報レコード番号４０１「Ｒ０１」及び「Ｒ０２」及び「Ｒ０３」が対応付けられている。これは同一の業務情報２００「オーダ」（業務情報レコード番号２０１「Ｇ０１」）に対して複数の履歴情報４００、即ちこの「オーダ」は「新規入力」（履歴情報レコード番号４０１「Ｒ０１」）、「変更」（履歴情報レコード番号４０１「Ｒ０２」）、「参照」（履歴情報レコード番号４０１「Ｒ０３」）の操作が行われたことを示す。
【００４８】
図８に示す強調語句テーブル６００には、病名、検査名、計測値、薬品名、用量・用法、容態等に関するキーワードが重要語句として予め登録される。後述するが、医療業務支援サーバ７は、ユーザが医療業務支援端末５から入力した情報の中から上記登録された重要語句を抽出し、該当語句に強調タグを挿入する。尚、強調タグの挿入とは、当該語句をハイライト表示、下線表示、着色表示、或いは点滅表示等で語句を強調する処理である。また、強調語句テーブル６００に登録される語句は、適宜追加・変更することができる。
【００４９】
図９に示す表題語句テーブル７００には、業務情報２００の表題の候補となるキーワードが表題語句として予め登録される。表題語句は、例えば病名、検査名、計測値、容態等の語句が登録される。医療業務支援サーバ７は、ユーザが医療業務支援端末５から入力した業務情報２００の内容から上記表題語句として登録されている語句を抽出し、当該業務情報２００の表題２０９（図５参照）とすることができる。
【００５０】
尚、上記強調語句テーブル６００、及び表題語句テーブル７００は、前回入力した業務情報２００と比較し、削除して新たに追加された語句（前回との相違点）を自動的に強調語句、或いは表題語句として登録するようにしても良い。
【００５１】
医療業務支援サーバ７の制御部２５及び医療業務支援端末５の制御部１７は、本実施の形態の医療業務支援システム１を実行するプログラムや各種データ等をそれぞれ図２に示すコンピュータ２９としての記憶部４３のＲＯＭ４５又はＨＤＤ４９から、ＲＡＭ４７にロードして処理を実行する。
【００５２】
（２．処理手順）
次に、本実施の形態の医療業務支援システム１の処理手順について説明する。
図１０、図１１により、医療業務支援端末５のログインの手順について説明する。図１２乃至図１４により、ユーザが医療業務支援端末５からメニューを選択し、診療録を表示させる手順について説明する。図１５乃至図１７により、ユーザが医療業務支援端末５から診療録の新規入力を行う手順について説明する。また、図１８によりユーザが医療業務支援端末５から診療録の内容変更を行う手順について説明する。また、図１９、図２０は、ユーザが条件を指定して、業務情報２００をいろいろな表示形態で表示させる医療業務支援端末５の画面例を示す。
【００５３】
（２−１．ログイン手順）
図１０及び図１１を参照しながらログイン処理について説明する。
図１０は、ログイン処理を示すフローチャートである。
図１１は、ログイン画面５３を示す図である。
ユーザは、例えば医療業務支援端末装置５に配置されるログインボタン等（図示しない。）を押し、医療業務支援端末装置５の表示部１１にログイン画面５３（図１１参照）を表示させる（ステップ１００１）。図１１に示すログイン画面５３は、ユーザに入力を促すユーザＩＤ５５入力欄、ユーザ認証を行うためのパスワード５７入力欄を有する。
【００５４】
ユーザは、ログイン画面５３（図１１参照）にユーザＩＤ５５とパスワード５７とを入力し、ＯＫボタン５９をクリックする（ステップ１００２）。
【００５５】
医療業務支援端末装置５の制御部１７は、入力されたユーザＩＤ５５とパスワード５７、またユーザが操作した医療業務支援端末装置５を認証する機器ＩＤ等を含む要求情報（ログイン要求）を作成する（ステップ１００３）。次に、制御部１７は、当該要求情報を通信部１９を介して医療業務支援サーバ７に送信する（ステップ１００４）。
【００５６】
医療業務支援サーバ７の制御部２５は要求情報（ユーザＩＤ５５とパスワード５７等の情報）から、ユーザの照合を行う（ステップ１００５）。照合できなければ（ステップ１００６のＮＯ）、ユーザが医療業務支援端末５から再度ログイン情報を入力するステップ（ステップ１００１）に戻る。
【００５７】
医療業務支援サーバ７の制御部２５（ユーザ認証手段２７−６）がユーザを照合すると（ステップ１００６のＹＥＳ）、制御部２５は照合結果とメニュー操作支援情報を医療業務支援端末装置５に送信する（ステップ１００７）。メニュー操作支援情報とは、例えば、図１３に示すメニュー画面６３等を医療業務支援端末装置５の表示部１１に表示させる情報等である。
【００５８】
次に制御部２５（履歴情報生成手段２７−３）は、ログインに関する履歴情報４００を生成する（ステップ１００８）。また、制御部２５（時間取得手段２７−８）はログインを行った時間情報（操作日時４０７）を履歴情報４００に追加し（ステップ１００９）、履歴情報４００をデータベース２３に格納する（ステップ１０１０）。即ち図６に示す履歴情報４００には、自動的に新規に履歴情報レコード番号４０１が生成され、操作者４０３の項目にログインを行ったユーザのユーザＩＤ５５（図１１）が登録され、操作種別４０５として「ログイン」が登録され、さらに操作日時４０７が登録される。
【００５９】
ステップ１０１１に戻り、医療業務支援端末装置５の制御部１７は照合結果とメニュー操作支援情報を受信してデータ格納部１５に格納する（ステップ１０１１）。制御部１７は照合結果を表示部１１に「ログイン完了」等と表示させ、通知部１３でユーザに通知する（ステップ１０１２）。通知部１３とは、ユーザに情報を受信した旨を通知する機能であり、ＬＥＤ、バイブレーション機能、アラーム機能等のうちの少なくとも１つである。
【００６０】
ユーザは、医療業務支援端末装置５の表示部１１や通知部１３で、医療業務支援システム１にログインしたことを確認する（ステップ１０１３）。次に医療業務支援端末装置５の制御部１７は、図１３に示すメニュー画面６３を表示部１１に表示させる（ステップ１０１４）。
【００６１】
以上、ユーザが医療業務支援システム１にログインする手順を示したが、ログイン操作についても履歴情報４００として格納されるので、後で例えば所定の期間にログインしたユーザのリストを抽出することも可能である。従って本システムへのアクセスは正確に管理されるので、不正アクセスの防止、或いは情報流出などを防止する効果が大きい。
【００６２】
（２−２．メニュー選択手順）
次に、図１２乃至図１４により、ユーザが医療業務支援端末５のメニュー画面６３（図１３参照）から診療録６５−２を選択し診療録画面６７を表示させる手順について説明する。図１２は、メニュー画面６３から診療録６５−２を選択し診療録画面６７を医療業務支援端末５に表示させるフローチャートを示す。図１３は、医療業務支援端末装置５の表示部１１に表示されるメニュー画面６３を示す。図１４は、医療業務支援端末装置５の表示部１１に表示される診療録画面６７を示す。
【００６３】
ユーザがログイン後、医療業務支援端末装置５の制御部１７は表示部１１に、メニュー画面６３（図１３参照）を表示させる（ステップ２００１）。メニュー画面６３（図１３参照）には、患者一覧６５−１、診療録６５−２、看護記録６５−３、温度板６５−４、オーダ６５−５、その他６５−６、設定６５−７等のメニューが表示される。
【００６４】
ユーザは、メニュー画面６３から診療録６５−２を選択しＯＫボタン５９をクリックする（ステップ２００２）。医療業務支援端末装置５の制御部１７はメニュー画面６３から診療録６５−２が選択されると、「診療録画面６７を参照する」という要求情報を作成する（ステップ２００３）。要求情報には、ユーザに関する情報（例えばユーザＩＤ５５）やユーザが操作した医療業務支援端末装置５を認証する機器ＩＤ等の情報も含まれる。
【００６５】
制御部１７は当該要求情報を医療業務支援サーバ７に送信する（ステップ２００４）。医療業務支援サーバ７の制御部２５（履歴情報生成手段２７−３）は、受信した要求情報から履歴情報４００を作成する（ステップ２００５）。更に制御部２５（時間取得手段２７−８）は、要求情報を受けた日時に関する時間情報（操作日時４０７）を履歴情報４００に追加し（ステップ２００６）、データベース２３に格納する（ステップ２００７）。
【００６６】
即ち図６に示す履歴情報４００には、新規に履歴情報レコード番号４０１が生成され、操作者４０３の項目に診療録画面６７の参照要求を行ったユーザのユーザＩＤ５５が登録され、操作種別４０５として「参照」が登録され、操作日時４０７が登録される。更に操作内容４０９の詳細（例えば診療録表示の条件等）を登録するようにしても良い。
【００６７】
次に、制御部２５（業務情報取得手段２７−２、履歴情報取得手段２７−４、医療情報取得手段２７−７）はユーザから、診療録を表示する患者名や表示条件（期間や項目など）の指定を受けて（図示しない。）、指定に該当する診療録が登録されている医療情報３００、患者情報１００、業務情報２００の該当するレコードをデータベース２３から取得する（ステップ２００８）。尚、制御部２５は、当該診療録に関するデータを読み出す際に、図７に示す対応情報５００（患者情報レコード番号１０１と業務情報レコード番号２０１と履歴情報レコード番号４０１との対応）を参照する。
【００６８】
次に制御部２５（スケール生成手段２７−５）は、当該診療録に関連する業務情報２００（図５参照）の該当するレコードから、それぞれ表題２０９と実施日時２０５を抽出する。制御部２５（スケール生成手段２７−５）は、業務情報２００を表題２０９で代表させ、実施日時２０５を用いて表題２０９を時系列で表示するスケール６９を作成する（ステップ２００９）。後述するが、作成されたスケール６９は、例えば図１４に示すように、実施日時７１に対応する位置に、該当する表題２０９−１及び表題２０９−２が配置され、ユーザは視覚的に実施された業務を容易に把握することができる。
【００６９】
次に、制御部２５は、医療業務支援端末装置５に、医療情報３００、患者情報１００、業務情報２００、履歴情報４００、スケール６９を送信する（ステップ２０１０）。
【００７０】
医療業務支援端末装置５の制御部１７は、医療情報３００、患者情報１００、業務情報２００、履歴情報４００、スケール６９をデータ格納部１５に格納し（ステップ２０１１）、上記受信データを基に診療録画面６７（図１４参照）を表示部１１に表示させる。また、制御部１７は受信の旨を通知部１３でユーザに通知する（ステップ２０１２）。ユーザは、医療業務支援端末装置５の表示部１１で診療録画面６７を確認する。また通知部１３による通知を受ける（ステップ２０１３）。
【００７１】
図１４に、医療業務支援端末装置５の表示部１１に表示される診療録画面６７の一例を示す。診療録画面６７は、ユーザが指定した患者（例えば患者情報１０１−１で指定した患者）、及び、条件７３で指定した期間や分類、及び、重要度等に基づいて、データベース２３の患者情報１００及び業務情報２００及び履歴情報４００から抽出された診療録に関するデータを示す画面である。スケール６９は、図１２のステップ２００９で作成され、実施日時７１の対応する日時の位置に、業務情報２００を代表する表題（表題２０９−１、２０９−２）が表示される。
【００７２】
着色表示されている表題２０９−１「血圧上昇・降圧剤」の詳細は、業務情報内容７５の表示領域でも、着色表示され（業務情報内容７５−１に対応する。）、更にその内容が内容表示７７欄に詳細に示される。例えばユーザが他の表題、例えば表題２０９−２を選択すると、表題２０９−２と業務情報内容７５−２とが着色表示され、業務情報内容７５−２の詳細な内容が、内容表示７７領域に表示される。
【００７３】
尚、ユーザは図１３に示すメニュー画面６３から、診療録６５−２の他、患者一覧６５−１、看護記録６５−３、温度板６５−４、オーダ６５−５等を指定して表示することができる。看護記録６５−３、温度板６５−４、オーダ６５−５等が指定された場合にも、本医療業務支援システム１は、業務情報２００から表題２０９と実施日時２０５を抽出してスケール６９を作成し、医療業務支援端末装置５の表示部１１に表示させる。
【００７４】
このように、ユーザは業務情報２００等を参照する際、医療業務支援端末装置５から条件を指定入力することで、容易に目的とする情報を表示させることができる。また、抽出した業務情報２００を表題２０９で代表させ、実施日時７１と対応させてスケール６９に表示するので、ユーザは業務情報２００の実施状況を視覚的に容易に把握することが可能である。
【００７５】
（２−３．診療録の新規入力手順）
次に、図１５乃至図１７により、ユーザが医療業務支援端末装置５の診療録画面６７から新規に診療録を入力する手順について説明する。図１５は、診療録画面６７から新規診療録を入力し確認するフローチャートを示す。図１６は、診療録画面６７と、診療録画面６７にポップアップ表示される診療録入力画面８３を示す。図１７は、新規診療録入力後に確認画面として表示される、診療録確認画面８９を示す。
【００７６】
ユーザは、ログイン後メニュー画面６３（図１３参照）から診療録６５−２を選択し、表示条件入力後に図１４に示す診療録画面６７を医療業務支援端末装置５の表示部１１に表示させるものとする。
【００７７】
ユーザが診療録画面６７（図１４参照）の「新規入力」ボタン７９をクリックすると（ステップ３００１）、医療業務支援端末装置５の制御部１７は、診療録入力画面８３を表示部１１にポップアップ表示させる（ステップ３００２、図１６参照）。
【００７８】
ユーザは、診療録入力画面８３から診療録情報３００−１を入力する（ステップ３００３）。診療録情報３００−１は図１６に示すように、例えば日時８５−１、場所８５−２（病棟や病室番号等）、スタッフ８５−３（スタッフ種別と担当者名等）、患者８５−４（患者名等）、重要度８５−５、表題８５−６、本文８５−７等である。
【００７９】
尚、重要度８５−５と表題８５−６は、ユーザが入力しなくても、自動的に医療業務支援サーバ７の制御部２５が入力するようにしても良い。例えば、本文８５−７に含まれる語句が表題語句テーブル７００（図９参照）に登録されている語句と一致していれば、自動的に医療業務支援サーバ７の制御部２５が当該語句を表題８５−６として指定するようにしても良い。また、本文８５−７に含まれる語句が強調語句テーブル６００（図８参照）や表題語句テーブル７００（図９参照）で検出される回数によって自動的に医療業務支援サーバ７の制御部２５が重要度８５−５を指定するようにしても良い。
【００８０】
ユーザは、診療録入力画面８３から診療録情報３００−１を入力し、「登録」ボタン８７をクリックする（ステップ３００４）。
【００８１】
医療業務支援端末装置５の制御部１７は、診療録入力画面８３からの入力に対し登録を確認する診療録確認画面８９の表示が要求されたとする要求情報を作成する（ステップ３００５）。尚、要求情報には、ユーザに関する情報（例えばユーザＩＤ５５）やユーザが操作した医療業務支援端末装置５を認証する機器ＩＤ等の情報も含まれる。
【００８２】
制御部１７は、上記要求情報と、入力された診療録情報３００−１とを医療業務支援サーバ７に送信する（ステップ３００６）。
【００８３】
医療業務支援サーバ７の制御部２５（履歴情報生成手段２７−３）は、受信した要求情報から履歴情報４００を作成する（ステップ３００７）。更に制御部２５（時間取得手段２７−８）は、要求情報を受けた日時に関する時間情報（操作日時４０７）を履歴情報４００に追加し（ステップ３００８）、データベース２３に格納する（ステップ３００９）。即ち図６に示す履歴情報４００には、新規に履歴情報レコード番号４０１が生成され、操作者４０３の項目に診療録画面６７に新規入力を行ったユーザのユーザＩＤ５５が登録され、操作種別４０５として「新規入力」、操作日時４０７が登録される。更に操作内容４０９の詳細（即ち新規入力の内容等）を登録するようにしても良い。
【００８４】
次に、制御部２５は、診療録情報３００−１の本文８５−７の内容（或いはグラフ等に挿入される語句等）の中から、強調語句テーブル６００（図８参照）に登録されている語句を抽出し当該語句に強調タグ９１を挿入する（ステップ３０１０）。例えば本文８５−７（図１６参照）中から、強調語句テーブル６００（図８参照）に登録されている語句「血圧良好」、「経過観察」の語句を抽出し、図１７に示すように当該語句に強調タグ９１（ここでは下線を挿入）を挿入する。強調タグ９１の挿入とは、例えば該当する語句に下線表示、太字表示、斜字表示、ハイライト表示、着色表示、点滅表示等を施して、他の語句との区別を行う処理である。
【００８５】
また、図１５のフローチャートでは説明していないが、図１６に示す診療録入力画面８３で、ユーザが表題８５−６を入力していない場合に、制御部２５は診療録情報３００−１の本文８５−７の内容（或いはグラフ等に挿入される語句等）の中から、表題語句テーブル７００（図９参照）に登録されている語句を抽出し（「血圧良好」、「経過観察」の語句）、当該語句を表題８５−６として自動的に入力するようにしても良い（図１７参照）。
【００８６】
また、図１５のフローチャートでは説明していないが、制御部２５は前回登録されている診療録と比較して、相違点を示す語句を強調語句、或いは表題語句として抽出し、新規に強調語句テーブル６００或いは表題語句テーブル７００に登録するようにしても良い。
【００８７】
制御部２５（履歴情報取得手段２７−４、医療情報取得手段２７−７）は、診療録情報３００−１と履歴情報４００を取得し、制御部２５（業務情報生成手段２７−１）は表題２０９、重要度２０７、及び、医療情報３００（診療録情報３００−１の削除・追加等の情報を含む）の項目を有する業務情報２００（図５参照）の新規レコードを作成する（ステップ３０１１）。制御部２５は、診療録情報３００−１（強調タグ９１の挿入後）と業務情報２００とを医療業務支援端末５に送信する（ステップ３０１２）。
【００８８】
医療業務支援端末５の制御部１７は、診療録情報３００−１と業務情報２００とをデータ収納部１５に収納し（ステップ３０１３）、診療録確認画面８９（図１７参照）を表示部１１に表示させる。また、制御部１７は受信の旨を通知部１３でユーザに通知する（ステップ３０１４）。ユーザは、医療業務支援端末装置５の表示部１１で診療録確認画面８９を確認する。また通知部１３による通知を受ける（ステップ３０１５）。
【００８９】
このように、診療録等の医療情報３００を新規入力する際、ユーザが本文８５−７（図１６参照）を入力すると、医療業務支援サーバ７は自動的に本文８５−７から強調語句を抽出して強調タグ９１を付加（図１７参照）、或いは自動的に本文８５−７から表題語句を抽出して表題８５−６（図１７参照）を作成する機能を有する。従って、ユーザは診療録確認画面８９（図１７参照）を確認して、医療情報３００の重要語句を視覚的に容易に認識することができる。また、ユーザが入力しなくても適切な表題８５−６が自動的に生成されるので、ユーザの作業負担を軽減する効果がある。
【００９０】
（２−４．診療録情報３００−１の変更手順）
次に、図１８によりユーザが医療業務支援端末装置５の診療録確認画面８９（図１７参照）から診療録の内容を変更する手順について説明する。
【００９１】
医療情報支援端末５の制御部１７は、診療録確認画面８９を表示部１１に表示させる（ステップ４００１、図１７参照）。ユーザは、自動的に作成された表題８５−６の内容を確認し、より分かりやすい表題に変更する場合等に、診療録確認画面８９の表題８５−６の内容を編集する（ステップ４００２）。また、ユーザは診療録確認画面８９から診療録情報３００−１の内容を編集する（ステップ４００３）。診療録情報３００−１の内容の編集とは、例えば、強調表示された（強調タグ９１を付加された）語句の設定変更や解除を行う場合や、重要度８５−５の再確認を行い重要度８５−５の変更を行う場合などである。
【００９２】
ユーザは、診療録の内容変更の作業が終了すると、診療録確認画面８９の「登録」ボタン８７（図１７参照）をクリックする（ステップ４００４）。
【００９３】
医療業務支援端末装置５の制御部１７は、診療録確認画面８９の変更に関する要求情報を作成する（ステップ４００５）。尚、要求情報には、ユーザに関する情報（例えばユーザＩＤ５５）やユーザが操作した医療業務支援端末装置５を認証する機器ＩＤ等の情報も含まれる。
【００９４】
制御部１７は、上記要求情報と、変更された診療録情報３００−１と、業務情報２００（表題情報を含む）を医療業務支援サーバ７に送信する（ステップ４００６）。
【００９５】
医療業務支援サーバ７の制御部２５（履歴情報生成手段２７−３）は、受信した要求情報、診療録情報３００−１、業務情報２００から履歴情報４００を作成する（ステップ４００７）。更に制御部２５（時間取得手段２７−８）は、要求情報を受けた日時に関する時間情報（操作日時４０７）を履歴情報４００に追加し（ステップ４００８）、データベース２３に格納する（ステップ４００９）。即ち図６に示す履歴情報４００には、新規に履歴情報レコード番号４０１が生成され、操作者４０３の項目に診療録確認画面８９に変更を行ったユーザのユーザＩＤ５５が登録され、操作種別４０５として「変更」、操作日時４０７が登録される。更に操作内容４０９の詳細（即ち変更の内容等）を登録するようにしても良い。
【００９６】
次に、制御部２５（時間取得手段２７−８）は、時間情報（実施日時２０５）を業務情報２００に追加し、変更後の診療情報３００−１とともにデータベース２３に格納する（ステップ４０１０）。制御部２５は、変更後の診療録情報３００−１の登録終了通知を医療業務支援端末５に送信する（ステップ４０１１）。
【００９７】
医療業務支援端末５の制御部１７は、診療録情報３００−１と業務情報２００とをデータ収納部１５に収納し（ステップ４０１２）、変更後の診療録確認画面８９を表示部１１に表示させる。また、制御部１７は受信の旨を通知部１３でユーザに通知する（ステップ４０１３）。ユーザは、医療業務支援端末装置５の表示部１１で変更後の診療録確認画面８９を確認する。また通知部１３による通知を受ける（ステップ４０１４）。
【００９８】
以上説明したように、ユーザは、診療録確認画面８９（図１７参照）から診療録情報３００−１の変更を容易に行うことができる。また、変更の履歴は履歴情報４００に登録されているので、後に検索条件として履歴情報４００（図６参照）の操作種別４０５「変更」を選択することで変更の履歴を辿ることが可能である。
【００９９】
（２−５．条件設定による業務情報表示）
図１９及び図２０は、ユーザが種々の条件（条件９４−１及び９４−２）を設定して、業務情報２００の内容を医療業務支援端末５の表示部１１に表示させる例を示す図である。尚、図１９、図２０共に条件追加ボタン９３を押すと、更に検索の条件を増やすことができる。
【０１００】
条件９４−１は、日付（２００５／０５／１０〜２００５／０５／１２）、患者は「日立患者Ａ」、重要度は「全て」である。医療業務支援端末５には、検索条件９４−１に合致する業務情報２００（指定期間における「日立患者Ａ」についての業務情報２００）が表示される。スケール６９には、業務種別２０３（オーダ、診療録、温度板等）が時系列的に表示され、ユーザは視覚的に業務情報２００の流れを容易に把握することが可能である。
【０１０１】
条件９４−２は、日付（２００５／０５／１０）、病棟２Ｆの患者、重要度は「全て」である。医療業務支援端末５には、検索条件９４−２に合致する業務情報２００（病棟２Ｆの全ての患者についての業務情報２００）が表示される。
【０１０２】
このように、様々な条件を指定することにより、ユーザは目的とする業務情報２００を容易に医療業務支援端末５の表示部１１に表示させることができる。また、特にスケール６９を用いて業務情報２００を時系列で表示させることで、ユーザは業務情報２００の時間的な処理の流れを視覚的に容易に把握することが可能である。
尚、スケールは、ユーザの指定した検索条件により、業務単位、操作単位、ユーザ単位、患者単位等で表示させることができる。
【０１０３】
また、図１９及び図２０の業務情報内容９５の表示において、「＋」ボタンや「−」ボタンを用いていくつかの業務情報をまとめたり逆に展開してツリー表示して一覧表示を行うことができる。例えば、図１９の業務情報内容９５の表示では、「診療録」は２つがまとめられていて「＋」ボタンをクリックすると２つ展開する。また、「温度版」は６つの業務情報がまとめられていて、「＋」ボタンをクリックすると６つ展開する。「看護記録」は２つの業務情報がまとめられていて、「＋」ボタンをクリックすると２つ展開する。尚、スケール６９を参照すると、まとめられている業務内容の数が分かる。
【０１０４】
（３．効果等）
このように、本実施の形態では、医療に関する業務情報ごとに表題で管理するので、目的の業務情報を容易に検索して取得することができる。
また、本実施の形態によれば、ユーザ（医療従事者等）が業務情報を検索する際、種々な条件（例えば期間、患者名、患者の場所、業務種別、履歴の操作種別、操作者等）を設定して効率良く目的の業務情報を取得することが可能である。
【０１０５】
また、業務情報２００を表示させる際、重要な語句を区別して表示させる（強調表示）ことができるので、重要語句に対するユーザ（医療従事者等）の注意を促し、医療事故などの発生を抑止する効果が大きい。
【０１０６】
また、業務情報をユーザ（医療従事者等）に提示する際、業務情報を表題で代表させ、時系列なスケールに配置して表示するので、ユーザは業務情報を視覚的に容易に把握することができる。更に、ユーザは時系列なスケールを参照することで次に実施する業務を予め予測することが可能になり、業務効率の向上効果が期待できる。
【０１０７】
また、本実施の形態では、業務情報の参照、新規入力、変更などを行った履歴に関する情報を登録していくので、ユーザは、例えば操作の履歴等を容易に辿ることが可能である。従って、ユーザの業務に対する意識を向上させる効果がある。また、本システムへのログインも履歴情報として登録されるので、不正アクセスの防止、或いは情報流出などを防止する効果が大きい。
【０１０８】
また、本実施の形態では、ユーザが入力した業務情報の本文中から、重要語句を抽出して表題とする機能を有し、ユーザの操作負担軽減の効果が大きい。
【０１０９】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【０１１０】
【図１】本実施の形態における医療情報支援システム１の構成を示す図
【図２】コンピュータ２９の構造を示す図
【図３】データベース２３の構造を示す図
【図４】患者情報１００を示す図
【図５】業務情報２００を示す図
【図６】履歴情報４００を示す図
【図７】対応情報５００を示す図
【図８】強調語句テーブル６００を示す図
【図９】表題語句テーブル７００を示す図
【図１０】ログインの手順を示すフローチャート
【図１１】ログイン画面５３を示す図
【図１２】メニューからの選択手順を示すフローチャート
【図１３】メニュー画面６３を示す図
【図１４】診療録画面６７を示す図
【図１５】診療録の新規入力手順を示すフローチャート
【図１６】診療録入力画面８３を示す図
【図１７】診療録確認画面８９を示す図
【図１８】診療録情報の変更手順を示すフローチャート
【図１９】条件９５−１による業務情報表示を示す図
【図２０】条件９５−２による業務情報表示を示す図
【符号の説明】
【０１１１】
１………医療業務支援システム
３………ネットワーク
５………医療業務支援端末
７………医療業務支援サーバ
９、３７………入力部
１１………表示部
１３………通知部
１５………データ格納部
１７、２５、３１………制御部
１９、２１、３５………通信部
２３………データベース
２９………コンピュータ
３３………メディア入出力部
３９………印刷部
４１………表示部
４３………記憶部
４５………ＲＯＭ
４７………ＲＡＭ
４９………ＨＤＤ
５１………システムバス
５３………ログイン画面
５５………ユーザＩＤ
５７………パスワード
５９………ＯＫボタン
６１………キャンセルボタン
６３………メニュー画面
６７………診療録画面
６９………スケール
７１………実施日時
７３、９４−１、９４−２………条件
７５、９５、９７………業務情報内容
７７………内容表示
７９………新規入力ボタン
８１………追加・修正ボタン
８３………診療録入力画面
８７………登録ボタン
８９………診療録確認画面
９１………強調タグ
９３………条件追加ボタン
１００………患者情報
１０１………患者情報レコード番号
１０３………患者ＩＤ
１０５………場所（患者の病棟、階）
１０７………担当ＩＤ
１０９………場所（担当の医療従事者の勤務所属）
２００………業務情報
２０１………業務情報レコード番号
２０３………業務種別
２０５………実施日時
２０７………重要度
２０９………表題
３００………医療情報
４００………履歴情報
４０１………履歴情報レコード番号
４０３………操作者
４０５………操作種別
４０７………操作日時
４０９………操作内容
５００………対応情報
６００………強調語句テーブル
７００………表題語句テーブル
【図１】
2007058715.tif 000003
【図２】
2007058715.tif 000004
【図３】
2007058715.tif 000005
【図４】
2007058715.tif 000006
【図５】
2007058715.tif 000007
【図６】
2007058715.tif 000008
【図７】
2007058715.tif 000009
【図８】
2007058715.tif 000010
【図９】
2007058715.tif 000011
【図１０】
2007058715.tif 000012
【図１１】
2007058715.tif 000013
【図１２】
2007058715.tif 000014
【図１３】
2007058715.tif 000015
【図１４】
2007058715.tif 000016
【図１５】
2007058715.tif 000017
【図１６】
2007058715.tif 000018
【図１７】
2007058715.tif 000019
【図１８】
2007058715.tif 000020
【図１９】
2007058715.tif 000021
【図２０】
2007058715.tif 000022